(57)【要約】      （修正有）【課題】太陽光パネル等を支持するポールを地上に立設するポール用基礎構造であり、上下方向や横方向の振動及び風圧にも有効に耐えることができる構造にすると共に、施工作業の短縮化を図ることができるようにしたポール用基礎構造を提供する。【解決手段】掘削溝２の底面２ａの周部付近に複数の側部打込アングル３を互いに外方へ広がる傾斜角度を設けて各側部打込アングル３の上端を掘削溝２の底面２ａから上方に露出させた状態に打設する一方、基礎ベース４の下方を中空状にして掘削溝２内に収納すると共に、この基礎ベース４の底板６に設けた複数のアングル用貫通孔６ａに内部打込アングル７を垂直状に打設した状態で基礎ベース４の補強板１１に固定し、基礎ベース４の天板５にポール８の下端に設けたベースプレート８ａを固定した状態で掘削溝２の内部にコンクリート９を打設して硬化させることにより、側部打込アングル３の上部と内部打込アングル７の上部と基礎ベース４とを一体的に結合するようにした。【選択図】図１
0003203114.tif 000002
【実用新案登録請求の範囲】
【請求項１】
地面に掘削した掘削溝の底面の周部付近に複数の側部打込アングルを互いに外方へ広がる傾斜角度を設ける共に、各側部打込アングルの上端に固定したボルトを掘削溝の底面から上方に露出させた状態に打設する一方、天板が底板よりも小径に形成された基礎ベースの下方を中空状にして掘削溝内に収納すると共に、この基礎ベースの底板に設けた複数のアングル用貫通孔に内部打込アングルを垂直状に打設した状態で各内部打込アングルの上端をアングル用貫通孔に沿って設けた補強板に固定し、基礎ベースの天板の上面にポールの下端に設けたベースプレートを固定した状態で掘削溝の内部にコンクリートを打設して硬化させることにより、側部打込アングルの上部と内部打込アングルの上部と基礎ベースとを一体的に結合させたことを特徴とするポール用基礎構造。
【請求項２】
基礎ベースを掘削溝内に収納する際、基礎ベースの天板の上面に仮止めしたレベル出し治具の両端を掘削溝の両側の上端に載置し、基礎ベースの底面と掘削溝の底面との間を中空状の状態にして、基礎ベースの天板を水平状に調整するようにしたことを特徴とする請求項１記載のポール用基礎構造。
【考案の詳細な説明】
【技術分野】
【０００１】
本考案は、太陽光パネルのパネルケース等を支持するポールを地上に立設するためのポール用基礎構造に関する。
【背景技術】
【０００２】
近年、防犯灯や街路灯等に使用する電源として、太陽光の照射を受けて発電する太陽光パネルを使用した太陽光発電装置が開発されている。このような太陽光発電装置は、良好な日照条件を確保するために、屋外の地上に立てた金属管製のポールの上部に太陽光パネルを固定した構成としている。
【０００３】
ところで、上記のようなポールを地上に立設する構造としては、下記の特許文献１に記載してあるように、地中に埋設した鉄筋コンクリート製の柱脚基礎の上端にポールの下端に設けたベースプレートを固定する構造が一般的である。
【０００４】
ところで、上記の太陽光パネルは、単一のポールの上端に傾斜状のパネル本体を固定した構造を有するため、屋外において風圧を受けやすい環境にある。従って、市街地等における安全性を確保するためにも、ポールの基礎構造を横方向の風圧等に十分耐え得る構造にする必要がある。
【０００５】
ところが、従来のように、ポールの基礎構造を特許文献１に示すような鉄筋コンクリート製の柱脚基礎にすると、コンクリートの養生等に数日の期間を要するため、特に市街地等においては、ポール基礎の工期の短縮化が望まれていた。
【０００６】
また、人通りの多い市街地等においては、上記のような工期の短縮化は、太陽光パネルを支持するポールだけではなく、従来の防犯灯や街路灯等を立設する際にも要求されるものである。
【先行技術文献】
【特許文献】
【０００７】
【特許文献１】特開平１０−１２１７８０号公報
【考案の概要】
【考案が解決しようとする課題】
【０００８】
本考案は、上記のような事情に鑑みてなされたものであり、太陽光パネル等を支持するポールを地上に立設するポール用基礎構造であり、上下方向や横方向の振動や風圧にも十分に耐えることができる構造にすると共に、施工作業の短縮化を図ることができるようにしたポール用基礎構造を提供することを目的とする。
【課題を解決するための手段】
【０００９】
上記の目的を達成するために、本考案における請求項１のポール用基礎構造は、地面に掘削した掘削溝の底面の周部付近に複数の側部打込アングルを互いに外方へ広がる傾斜角度を設ける共に、各側部打込アングルの上端に固定したボルトを掘削溝の底面から上方に露出させた状態に打設する一方、天板が底板よりも小径に形成された基礎ベースの下方を中空状にして掘削溝内に収納すると共に、この基礎ベースの底板に設けた複数のアングル用貫通孔に内部打込アングルを垂直状に打設した状態で各内部打込アングルの上端をアングル用貫通孔に沿って設けた補強板に固定し、基礎ベースの天板の上面にポールの下端に設けたベースプレートを固定した状態で掘削溝の内部にコンクリートを打設して硬化させることにより、側部打込アングルの上部と内部打込アングルの上部と基礎ベースとを一体的に結合させたことを特徴とする。
【００１０】
また、本考案の請求項２のポール用基礎構造は、請求項１において、基礎ベースを掘削溝内に収納する際、基礎ベースの天板の上面に仮止めしたレベル出し治具の両端を掘削溝の両側の上端に載置し、基礎ベースの底面と掘削溝の底面との間を中空状の状態にして、基礎ベースの天板を水平状に調整するようにしたことを特徴とする。
【考案の効果】
【００１１】
本考案のポール用基礎構造は、掘削溝内に収納した基礎ベースを掘削溝内に垂直状に打ち込んだ内部打込アングルで地盤に固定すると共に、掘削溝内に打設したコンクリートによって基礎ベースと内部打込アングルと掘削溝内に傾斜状に打ち込んだ側部打込アングルとを一体的に結合することが可能となる。このような構造により、地中に垂直状に打ち込んだ内部打込アングルと地中に傾斜状に打ち込んだ側部打込アングルの地耐力により上下方向及び横方向の風圧や振動に対して有効な支持耐力を発揮することが可能となる。
【００１２】
また、本実施例のポール用基礎構造の施工作業は、特許文献１に示すような従来の鉄筋コンクリートを主体とする柱脚基礎に比べてコンクリートの使用量が大幅に減少し、掘削溝にコンクリートを打設する簡単な作業により、施工時間の短縮化を図ることが可能となる。また、基礎ベースの水平出しも容易であって、作業効率の面でも有益なポール用基礎構造として使用することが可能となる。
【図面の簡単な説明】
【００１３】
【図１】（ａ）は本考案の実施例におけるポール用基礎構造とポールの全体図であり、(ｂ)はポール用基礎構造の上面図であり、(ｃ)はポール用基礎構造の部分側面図である。
【図２】（ａ）は本考案の実施例に使用する基礎ベースの上面図であり、(ｂ)は基礎ベースの側面図である。
【図３】本考案の実施例において地面に掘削した掘削溝に側部打込アングルを打設した状態を示す図であり、(ａ)は上面図、(ｂ)は側面図である。
【図４】(ａ)は本考案の実施例に使用する基礎ベースの天板にレベル出し治具を取り付けた状態を示す上面図であり、(ｂ)はそのレベル出し治具を取り付けた基礎ベースを掘削溝に収容した状態を示す側面図である。
【図５】(ａ)は本考案の実施例に使用する基礎ベースに内部打込アングルを打ち込んでいる状態を示す側面図であり、(ｂ)は基礎ベースに内部打込アングルを打ち込んだ状態を示す上面図であり、(ｃ)は基礎ベースに内部打込アングルを打ち込んだ状態を示す部分側面図である。
【図６】(ａ)は本考案の実施例に使用する基礎ベースの天板の上面にポールのベースプレートを取り付けた状態を示す部分側面図であり、(ｂ)は掘削溝の内部にコンクリートを打設することによって側部打込アングルの上部と内部打込アングルの上部と基礎ベースとを一体的に結合した状態を示す部分側面図ある。
【考案を実施するための形態】
【００１４】
本考案の実施例について図面を参照しながら説明する。
【実施例】
【００１５】
本実施例のポール用基礎構造１は、図１（ａ）〜(ｃ)に示すように、地面Ｇの掘削溝２の底面２ａに互いに外方へ広がる傾斜角度を設けて打ち込んだ複数の側部打込アングル３と、基礎ベース４の下方を中空状にして掘削溝２内に収納すると共に、この基礎ベース４の底板６に設けた複数のアングル用貫通孔６ａに垂直状に打設した内部打込アングル７とを有し、基礎ベース４の天板５の上面にポール８のベースプレート８ａを固定して、掘削溝２の内部にコンクリート９を打設して硬化させるようにした構成を有する。
【００１６】
上記の構成について詳細に述べると、図２(ａ)、(ｂ)に示すように、基礎ベース４は、天板５が底板６よりも小径に形成され、底板６に設けた後述するアングル用貫通孔６ａの上方を開放状態にしている。天板５と底板６はその間に設けた短管１０によって結合されると共に、短管１０の周囲に設けた複数の補強板１１によって天板５と底板６とを結合した構成とされている。
【００１７】
また、基礎ベース４の天板５には、後述するポール８のベースプレート８ａをボルト締結するための複数のボルト孔５ａが形成されている。さらに、底板６には後述する内部打込アングル７を挿通するため複数のアングル用貫通孔６ａが所定間隔で形成され、それぞれのアングル用貫通孔６ａに沿って上記の補強板１１が固定されると共に、各補強板１１には後述する内部打込アングル７の上端をボルト締結するためのボルト孔１１ａが設けられている。
【００１８】
なお、図２(ａ)に示すように、基礎ベース４の天板５と底板６は円形に形成し、短管１０は断面円形の管体を使用してあるが、ポール８の断面形状に応じて断面四角形状の管体等を使用してもよい。
【００１９】
次に、他の部材の説明と共に、上記の基礎ベース４を用いて本実施例のポール用基礎構造１を施工する方法について説明する。
【００２０】
まず、図３(ａ)、(ｂ)に示すように、ポール８を立設すべき地面に、基礎ベース４の底板６よりも大径の掘削溝２を掘削する。この掘削溝２の深さは、基礎ベース４の高さよりもやや深く形成してあり、基礎ベース４の上面を地面の上面に合わせて収納した状態で基礎ベース４の下面と掘削溝２の上面との間に中空状の空間Ｓができるようにしている。
【００２１】
次いで、掘削溝２の底面２ａの周部付近に複数の側部打込アングル３を互いに外方へ広がる傾斜角度を設ける共に、各側部打込アングル３の上端に固定したボルト３ｂを掘削溝２の底面２ａから上方に露出させた状態に打設する。
【００２２】
さらに、上記の各側部打込アングル３の上端に形成してあるボルト孔３ａにはボルト３ｂの頭部を突出状態にしてナット３ｃで固定することにより、ボルト３ｂ及びナット３ｃは後述する掘削溝２に打設したコンクリート９に対する抜け防止として機能し、コンクリート９との結合力を強化することが可能となる。
【００２３】
上記の各側部打込アングル３について具体的に述べると、図３(ａ)、(ｂ)に示すように、４本の側部打込アングル３を用いて打設してあるが、土質等の状況に応じて側部打込アングル３の使用数や長さを調整することも可能である。また、各側部打込アングル３の打込角度は、地面に対して約４５度の角度で打設してあるが、土質や周辺の状況に応じて他の傾斜角度にしてもよい。
【００２４】
次いで、図４(ａ)、(ｂ)に示すように、掘削溝２の内部に基礎ベース４を収納する際、基礎ベース４の天板５に形成してあるボルト孔５ａを利用して、基礎ベース４の天板５の上面にレベル出し治具１２をボルト１２ｂで仮止めする。このレベル出し治具１２は、掘削溝２の径よりも長い２本のアングル材１３の両端付近を短尺の連結部材１４で結合した構成としてあり、掘削溝２の近くの地面上で基礎ベース４の天板５にレベル出し治具１２を載置して、レベル出し治具１２に設けてあるボルト孔１２ａと基礎ベース４の天板５のボルト孔５ａにボルト１２ｂで仮止めする。
【００２５】
そして、このレベル出し治具１２の両端を掘削溝２の両側の上端に載置することで、基礎ベース４の底板６と掘削溝２の底面２ａとの間を中空状の状態にし、水準器等を用いて基礎ベース４の天板５が水平状態となるように調整する。この時、基礎ベース４の下方は中空状にされているため、基礎ベース４はレベル出し治具１２との仮止めに用いたボルト１２ｂの締め付け度合いによって水平状態を自由に調整することが可能となる。
【００２６】
次いで、図５(ａ)〜(ｃ)に示すように、上記のように掘削溝２内に水平状態に収納した基礎ベース４の底板６に設けてある複数のアングル用貫通孔６ａに長尺の内部打込アングル７を垂直状に打設する。さらに、各内部打込アングル７の上端のボルト孔７ａとアングル用貫通孔６ａに沿って設けてある補強板１１のボルト孔１１ａとを用いてボルト７ｂで仮押えして、再度、基礎ベース４の水平性を確認し、必要に応じて調整した後、ボルト７ｂを本締めすることによって固定する。なお、この内部打込アングル７もまた、土質等の状況に応じて使用本数や長さ等を変えることが可能である。
【００２７】
上記の作業によって、基礎ベース４は、掘削溝２の底面２ａに打ち込んだ内部打込アングル７との結合によって上記の水平状態を保ち、掘削溝２の上端との高さを合わせた状態で固定されることとなる。
【００２８】
次に、図５(ｃ)に示すように、上記の基礎ベース４の天板５の上面に仮止めしたレベル出し治具１２を取り外し、図６(ａ)に示すように、基礎ベース４の天板５にポール８の下端に設けたベースプレート８ａをボルト８ｂで固定する。
【００２９】
さらに、図６(ｂ)に示すように、掘削溝２の内部の空間にコンクリート９を打設して硬化させると、硬化したコンクリート９によって側部打込アングル３の上端と内部打込アングル７の上端と基礎ベース４とが一体的に結合する。この際、各側部打込アングル３のボルト孔３ａに結合してあるボルト３ｂ及びナット３ｃはコンクリート９に対する抜け防止としてコンクリート９との結合力を強化する。また、基礎ベース４は、地中に垂直状に打ち込まれた内部打込アングル７と地中に傾斜状に打ち込まれた側部打込アングル３の地耐力により上下方向及び横方向の風圧や振動に対して有効な支持耐力を発揮することが可能となる。
【００３０】
このような本実施例のポール用基礎構造１の施工作業は、特許文献１に示すような従来の鉄筋コンクリートを主体とする柱脚基礎に比べてコンクリート９の使用量が大幅に減少するため、作業時間の短縮化を図ることができ、また基礎ベース４の水平出しも容易であって、作業効率の面でも有益なポール用基礎構造１として使用することが可能となる。
【００３１】
なお、図１（ａ）に示すように、本実施例のポール用基礎構造１を用いて建柱したポール８の上端には太陽光パネル１５を設け、ポール８の上方にはＬＥＤ照明器１６や防犯カメラ１７を設けた構成としてあるが、本発明のポール用基礎構造に建柱するポールは従来の照明灯等にも使用可能である。
【産業上の利用可能性】
【００３２】
本考案のポール用基礎構造は、太陽光パネル等を支持するポールを地上に立設するポール用基礎構造であり、上下方向や横方向の振動及び風圧にも有効に耐えることができる構造にすると共に、施工作業の短縮化を図ることができるようにしたポール用基礎構造として利用可能である。
【符号の説明】
【００３３】
１  ポール用基礎構造
２  掘削溝
２ａ  底面
３  側部打込アングル
３ａ  ボルト孔
３ｂ  ボルト
３ｃ  ナット
４  基礎ベース
５  天板
５ａ  ボルト孔
６  底板
６ａ  アングル用貫通孔
７  内部打込アングル
７ａ  ボルト孔
７ｂ  ボルト
８  ポール
８ａ  ベースプレート
８ｂ  ボルト
９  コンクリート
１０  短管
１１  補強板
１１ａ  ボルト孔
１２  レベル出し治具
１２ｂ  ボルト
１３  アングル材
１４  連結部材
１５  太陽光パネル
１６  ＬＥＤ照明器
１７  防犯カメラ
Ｇ  地面
Ｓ  中空状の空間
【図１】
0003203114.tif 000003
【図２】
0003203114.tif 000004
【図３】
0003203114.tif 000005
【図４】
0003203114.tif 000006
【図５】
0003203114.tif 000007
【図６】
0003203114.tif 000008